(57)【要約】【課題】１画素分の幅よりも狭い幅の色ずれ分でも容易に確認できるようにする。【解決手段】隣り合う基準線ａどうしの間の夫々に、基準分解色で、かつ、１画素分の幅ｈで略平行に印刷されるｍ本の補助基準線ｃを設けてあると共に、隣り合う検出線ｂどうしの間の夫々に、検出分解色で、かつ、１画素分の幅で略平行に印刷されるｍ本の補助検出線ｄを設けてあり、標準検出線ｂ１に対して非標準検出線ｂ２と補助検出線ｄとを含めて数えてｋ番目に隣り合う補助検出線の夫々を、標準基準線ａ１と標準検出線ｂ１とが略一直線に並べて印刷されたときに、標準基準線ａ１に対して非標準基準線ａ２と補助基準線ｃとを含めて数えてｋ番目に隣り合う補助基準線に対して、１画素分の幅ｈのｋ／（ｍ＋１）倍の距離だけ一定方向にずらした位置に印刷されるように配置してある。【選択図】図３
2010039197.tif 000002
【特許請求の範囲】
【請求項１】
レーザー光で像担持体をその回転方向に沿った略一定の走査ピッチで回転軸芯方向に沿って走査して、複数の分解色毎に対応する静電潜像を形成し、前記静電潜像に基づいて形成された各分解色毎のトナー像を重ねたカラー画像を記録媒体に印刷可能に構成してある画像形成装置における、前記複数の分解色のうちの特定の基準分解色のトナー像に対する残りの分解色毎のトナー像の色ずれ量を確認するために、
前記基準分解色で、かつ、１画素分の幅で、前記１画素分の幅の整数倍の等ピッチで互いに略平行に印刷される一本の標準基準線と複数本の非標準基準線とからなる複数本の基準線を有する基準線パターンと、
前記基準分解色以外の検出分解色で、かつ、前記１画素分の幅で、前記１画素分の幅の整数倍の等ピッチで互いに略平行に印刷される一本の標準検出線と複数本の非標準検出線とからなる複数本の検出線を有すると共に、
前記標準基準線と前記標準検出線とが略一直線に並べて印刷されたときに、前記標準検出線に対してｎ番目に隣り合う非標準検出線の夫々が、前記標準基準線に対してｎ番目に隣り合う非標準基準線に対して、１画素分の幅のｎ倍の距離だけ一定方向にずらした位置に印刷される検出線パターンとが、
前記基準線の長手方向に隣り合わせて、前記画像形成装置で記録媒体に印刷される色ずれ量確認チャートであって、
隣り合う前記基準線どうしの間の夫々に、前記基準分解色で、かつ、前記１画素分の幅で略平行に印刷されるｍ本の補助基準線を設けてあると共に、
隣り合う前記検出線どうしの間の夫々に、前記検出分解色で、かつ、前記１画素分の幅で略平行に印刷されるｍ本の補助検出線を設けてあり、
前記標準検出線に対して前記非標準検出線と前記補助検出線とを含めて数えてｋ番目に隣り合う前記補助検出線の夫々を、
前記標準基準線と前記標準検出線とが略一直線に並べて印刷されたときに、前記標準基準線に対して前記非標準基準線と前記補助基準線とを含めて数えてｋ番目に隣り合う前記補助基準線に対して、１画素分の幅のｋ／（ｍ＋１）倍の距離だけ一定方向にずらした位置に印刷されるように配置してある色ずれ量確認チャート。
【請求項２】
請求項１記載の色ずれ量確認チャートにおける副走査方向に沿う色ずれ量を確認するための補助検出線の印刷方法であって、
前記像担持体の回転方向で隣り合う走査ピッチ毎に、通常印刷用の静電潜像形成時よりも光量が少ないレーザー光で前記像担持体を走査して、前記補助検出線を印刷するための静電潜像を、像担持体の回転方向で隣り合う走査ピッチ毎に形成された二つの静電潜像が合成された合成静電潜像として形成し、
その合成静電潜像のトナー像を記録紙に印刷する補助検出線の印刷方法。
【発明の詳細な説明】
【技術分野】
【０００１】
本発明は、レーザー光で像担持体をその回転方向に沿った略一定の走査ピッチで回転軸芯方向に沿って走査して、複数の分解色毎に対応する静電潜像を形成し、前記静電潜像に基づいて形成された各分解色毎のトナー像を重ねたカラー画像を記録媒体に印刷可能に構成してある画像形成装置における、前記複数の分解色のうちの特定の基準分解色のトナー像に対する残りの分解色毎のトナー像の色ずれ量を確認するために、前記基準分解色で、かつ、１画素分の幅で、前記１画素分の幅の整数倍の等ピッチで互いに略平行に印刷される一本の標準基準線と複数本の非標準基準線とからなる複数本の基準線を有する基準線パターンと、前記基準分解色以外の検出分解色で、かつ、前記１画素分の幅で、前記１画素分の幅の整数倍の等ピッチで互いに略平行に印刷される一本の標準検出線と複数本の非標準検出線とからなる複数本の検出線を有すると共に、前記標準基準線と前記標準検出線とが略一直線に並べて印刷されたときに、前記標準検出線に対してｎ番目に隣り合う非標準検出線の夫々が、前記標準基準線に対してｎ番目に隣り合う非標準基準線に対して、１画素分の幅のｎ倍の距離だけ一定方向にずらした位置に印刷される検出線パターンとが、前記基準線の長手方向に隣り合わせて、前記画像形成装置で記録媒体に印刷される色ずれ量確認チャートと補助検出線の印刷方法に関する。
【背景技術】
【０００２】
上記色ずれ量確認チャートは、その印刷用データを画像形成装置に備えたメモリから読み出して記録媒体に印刷されるものである。
標準基準線と標準検出線とが略一直線に並べて印刷されたときには、その色ずれ量確認チャートを印刷した画像形成装置において、基準分解色のトナー像に対する、その標準検出線の印刷色に対応する分解色のトナー像の色ずれが無いと確認することができる。
非標準基準線と非標準検出線とが略一直線に並べて印刷されたときには、その非標準基準線が標準基準線に対して何番目に隣り合うか、あるいは、その非標準検出線が標準検出線に対して何番目に隣り合うかを知ることにより、例えば、ｎ番目に隣り合う場合は、その色ずれ量確認チャートを印刷した画像形成装置において、非標準検出線を非標準基準線に対してずらした方向とは逆方向に、１画素分の幅のｎ倍の距離だけ、色ずれが生じていることを容易に確認することができる。
色ずれが生じていることを確認できたときは、その色ずれ量に基づいて、色ずれが生じないように画像形成装置を調整することが行われる。
従来の色ずれ量確認チャートは、１画素分の幅の単位で色ずれ量を確認することができるようにしてある（例えば、特許文献１参照。）。
【０００３】
【特許文献１】特開平８−２６２８２９号公報
【発明の開示】
【発明が解決しようとする課題】
【０００４】
このため、実際には、１画素分の幅よりも狭い幅で色ずれが生じていたり、１画素分の幅の整数倍の幅と１画素分の幅よりも狭い幅とを加えた幅で色ずれが生じていても、１画素分の幅の単位で確認された色ずれ量に基づいて画像形成装置を調整せざるを得ない。
その結果、１画素分の幅よりも狭い幅の色ずれ分を解消できないので、色ずれが少ない高画質のカラー画像を形成できるように画像形成装置を精度良く調整することができない欠点がある。
【０００５】
本発明は上記実情に鑑みてなされたものであって、１画素分の幅よりも狭い幅の色ずれ分でも容易に確認できるようにすることを目的とする。
【課題を解決するための手段】
【０００６】
本発明の第１特徴構成は、レーザー光で像担持体をその回転方向に沿った略一定の走査ピッチで回転軸芯方向に沿って走査して、複数の分解色毎に対応する静電潜像を形成し、前記静電潜像に基づいて形成された各分解色毎のトナー像を重ねたカラー画像を記録媒体に印刷可能に構成してある画像形成装置における、前記複数の分解色のうちの特定の基準分解色のトナー像に対する残りの分解色毎のトナー像の色ずれ量を確認するために、前記基準分解色で、かつ、１画素分の幅で、前記１画素分の幅の整数倍の等ピッチで互いに略平行に印刷される一本の標準基準線と複数本の非標準基準線とからなる複数本の基準線を有する基準線パターンと、前記基準分解色以外の検出分解色で、かつ、前記１画素分の幅で、前記１画素分の幅の整数倍の等ピッチで互いに略平行に印刷される一本の標準検出線と複数本の非標準検出線とからなる複数本の検出線を有すると共に、前記標準基準線と前記標準検出線とが略一直線に並べて印刷されたときに、前記標準検出線に対してｎ番目に隣り合う非標準検出線の夫々が、前記標準基準線に対してｎ番目に隣り合う非標準基準線に対して、１画素分の幅のｎ倍の距離だけ一定方向にずらした位置に印刷される検出線パターンとが、前記基準線の長手方向に隣り合わせて、前記画像形成装置で記録媒体に印刷される色ずれ量確認チャートであって、
隣り合う前記基準線どうしの間の夫々に、前記基準分解色で、かつ、前記１画素分の幅で略平行に印刷されるｍ本の補助基準線を設けてあると共に、隣り合う前記検出線どうしの間の夫々に、前記検出分解色で、かつ、前記１画素分の幅で略平行に印刷されるｍ本の補助検出線を設けてあり、前記標準検出線に対して前記非標準検出線と前記補助検出線とを含めて数えてｋ番目に隣り合う前記補助検出線の夫々を、前記標準基準線と前記標準検出線とが略一直線に並べて印刷されたときに、前記標準基準線に対して前記非標準基準線と前記補助基準線とを含めて数えてｋ番目に隣り合う前記補助基準線に対して、１画素分の幅のｋ／（ｍ＋１）倍の距離だけ一定方向にずらした位置に印刷されるように配置してある点にある。
【０００７】
〔作用及び効果〕
つまり、図３に例示するように、隣り合う基準線ａどうしの間の夫々に、基準分解色で、かつ、１画素分の幅ｈで略平行に印刷されるｍ本の補助基準線ｃを設けてあると共に、隣り合う検出線ｂどうしの間の夫々に、検出分解色で、かつ、１画素分の幅ｈで略平行に印刷されるｍ本（図３では１本）の補助検出線ｄを設けてある。
標準検出線ｂ１に対して非標準検出線ｂ２と補助検出線ｄとを含めて数えてｋ番目に隣り合う補助検出線ｄの夫々を、標準基準線ａ１と標準検出線ｂ１とが略一直線に並べて印刷されたときに、標準基準線ａ１に対して非標準基準線ａ２と補助基準線ｃとを含めて数えてｋ番目に隣り合う補助基準線ｃに対して、１画素分の幅ｈのｋ／（ｍ＋１）倍の距離だけ一定方向にずらした位置に印刷されるように配置してある。
このため、図３に例示するように、標準基準線ａ１と標準検出線ｂ１とが略一直線に並べて印刷されたときには、その色ずれ量確認チャートを印刷した画像形成装置において、基準分解色のトナー像に対する、その標準検出線ｂ１の印刷色に対応する分解色のトナー像の色ずれが無いと確認することができる。
そして、非標準基準線ａ２と非標準検出線ｂ２とが略一直線に並べて印刷されたときには、その非標準基準線ａ２が標準基準線ａ１に対して何番目に隣り合うか、あるいは、その非標準検出線ｂ２が標準検出線ｂ１に対して何番目に隣り合うかを知ることにより、例えば、ｎ番目に隣り合う場合は、その色ずれ量確認チャートを印刷した画像形成装置において、非標準検出線ｂ２を非標準基準線ａ１に対してずらした方向とは逆方向に、１画素分の幅のｎ倍の距離だけ、色ずれが生じていることを容易に確認することができる。
また、図４に例示するように、標準基準線ａ１に対して非標準基準線ａ２と補助基準線ｃとを含めて数えてｋ番目に隣り合う補助基準線ｃと、標準検出線ｂ１に対して非標準検出線ｂ２と補助検出線ｄとを含めて数えてｋ番目に隣り合う補助検出線ｄとが略一直線に並べて印刷されたときには、その色ずれ量確認チャートを印刷した画像形成装置において、補助検出線ｄを補助基準線ｃに対してずらした方向とは逆方向に、１画素分の幅ｈのｋ／（ｍ＋１）倍の距離だけ、色ずれが生じていることを容易に確認することができる。
従って、補助基準線と補助検出線とが略一直線に並べて印刷されたときは、その補助検出線が標準検出線に対して非標準検出線と補助検出線とを含めて数えて何番目の線であるか、あるいは、その補助基準線が標準基準線に対して非標準基準線と補助基準線とを含めて数えて何番目の線であるかを知ることにより、１画素分の幅の１／（ｍ＋１）の単位で色ずれ量を確認することができ、１画素分の幅よりも狭い幅の色ずれ分でも容易に確認できる。
【０００８】
本発明の第２特徴構成は、請求項１記載の色ずれ量確認チャートにおける副走査方向に沿う色ずれ量を確認するための補助検出線の印刷方法であって、
前記像担持体の回転方向で隣り合う走査ピッチ毎に、通常印刷用の静電潜像形成時よりも光量が少ないレーザー光で前記像担持体を走査して、前記補助検出線を印刷するための静電潜像を、像担持体の回転方向で隣り合う走査ピッチ毎に形成された二つの静電潜像が合成された合成静電潜像として形成し、その合成静電潜像のトナー像を記録紙に印刷する点にある。
【０００９】
〔作用及び効果〕
補助検出線の夫々を、補助基準線に対して１画素分の幅の１／２の単位で一定方向にずらした位置に印刷するにあたって、主走査方向（レーザー光の走査方向）に沿う色ずれ量を確認するために印刷される補助検出線は、レーザー光の像担持体に対する照射タイミングを調節することによって容易に印刷することができる。
しかしながら、従来の画像形成装置では、副走査方向（レーザー光の走査方向に直交する方向）に沿う色ずれ量を確認するための補助基準線も補助検出線も、１画素分の幅で、かつ、１画素分の幅の一定走査ピッチで回転軸芯方向に沿って走査されるレーザー光で形成された静電潜像のトナー像を印刷するので、補助検出線を補助基準線に対して１画素分の幅の１／２単位で位置をずらせて印刷できない問題がある。
そこで、画像形成装置の解像度に応じて設定してある像担持体の回転方向で隣り合う走査ピッチ毎に、通常印刷用の静電潜像形成時よりも光量が少ないレーザー光で前記像担持体を走査して、補助検出線を印刷するための静電潜像を、像担持体の回転方向で隣り合う走査ピッチ毎に形成された二つの静電潜像が合成された合成静電潜像として形成し、その合成静電潜像のトナー像を記録紙に印刷するのである。
従って、画像形成装置の解像度に応じて設定してある１画素分の幅にかかわらず、補助基準線に対して、１画素分の幅の略１／２単位で位置をずらせた補助検出線を印刷することができる。
【発明を実施するための最良の形態】
【００１０】
以下に本発明の実施の形態を図面に基づいて説明する。
図１は、複数の分解色（イエロー，マゼンダ，シアン，ブラックの４つの分解色）毎のトナー像を重ねたフルカラー画像を記録媒体としての記録紙１に印刷可能に構成してある画像形成装置としての電子写真式複写機２を示す。
【００１１】
複写機２は、本体部３、操作部４、原稿読取部５、原稿給送部６などを設けて構成してある。
原稿読取部５において読み取られた原稿の画像データは、４つの分解色毎の画像データに分解されて本体部３に出力される。
【００１２】
本体部３は、複数の給紙カセット７、転写ローラ８、像担持体としての感光体ドラム９、露光装置１０、現像装置１１、定着ローラ１２、排紙トレイ１３、記録紙搬送部１４等を備えている。
【００１３】
感光体ドラム９は、矢印方向に回転しながら帯電装置（図示省略）によって一様に帯電される。露光装置１０は、４つの分解色毎の画像データに基づいて出力されるレーザー光で、感光体ドラム９をその回転方向に沿った略一定の走査ピッチ、つまり、一画素分の幅ｈの走査ピッチで回転軸芯方向に沿って走査して、各分解色毎に対応する静電潜像を感光体ドラム９に形成する。
【００１４】
現像装置１１は、各分解色毎の現像剤を感光体ドラム９に供給して各分解色毎のトナー像を形成する。
【００１５】
記録紙搬送部１４は、給紙ローラ７ａで給紙カセット７から引き出された記録紙１を転写ローラ８に向けて搬送した後、定着ローラ１２に向けて搬送して、排紙トレイ１３に排出する。
【００１６】
転写ローラ８は、感光体ドラム９に形成された各分解色毎のトナー像を重ねてたカラートナー像を記録紙１に転写させる。記録紙１に転写されたカラートナー像は、定着ローラ１２で加熱して定着させることにより、フルカラー画像として記録紙１に印刷される。
【００１７】
図２，図３は、４つの分解色のうちの特定の基準分解色としてのブラックのトナー像に対する残り３つの分解色毎のトナー像の色ずれ量を確認するために、上記複写機２で記録紙１に印刷される本発明による色ずれ量確認チャートを示す。
この色ずれ量確認チャートの画像データは上記複写機２に備えたメモリなどに予め記憶されている。
【００１８】
色ずれ量確認チャートは、ブラックを基準分解色として、その基準分解色で印刷される基準線パターン１５と、ブラック以外の分解色であるイエロー，マゼンダ，シアンの夫々の検出分解色で印刷される検出線パターン１６とを組み合わせて構成されている。
【００１９】
検出線パターン１６は、各検出分解色毎に基準線パターン１５と組み合わせてある分解色別色ずれ量確認チャート１７として、基準線パターン１５における基準線ａの長手方向に隣り合わせて記録紙１に印刷される。
【００２０】
従って、色ずれ量確認チャートは、イエロー，マゼンダ，シアンの夫々に対応して印刷される３つの分解色別色ずれ量確認チャート１７からなるが、各分解色別色ずれ量確認チャート１７は同様に設けられているので、図２では、例えばイエローに対応する分解色別色ずれ量確認チャート１７のみを例示してある。
【００２１】
図２において、符号１７ａで示す分解色別色ずれ量確認チャートは、副走査方向、つまり、レーザー光の走査方向に直交する方向での色ずれを確認するために印刷されるチャートであり、符号１７ｂで示す分解色別色ずれ量確認チャートは、主走査方向、つまり、レーザー光の走査方向での色ずれを確認するために印刷されるチャートである。
【００２２】
分解色別色ずれ量確認チャート１７ａの拡大図を図３で示すが、分解色別色ずれ量確認チャート１７ｂは、分解色別色ずれ量確認チャート１７ａに対して９０度の角度で回転させた姿勢で印刷される点でのみ異なるので、その拡大図は省略する。
【００２３】
基準線パターン１５は、１画素分の幅ｈで、その１画素分の幅ｈの整数倍（本実施形態では３０倍）の等ピッチＰａで互いに略平行に印刷される１本の標準基準線ａ１と複数本（本実施形態では７本）の非標準基準線ａ２とからなる複数本（本実施形態では８本）の基準線ａを有する。
尚、１画素分の幅ｈとは、感光体ドラム９に照射されるレーザー光のドラム表面におけるビームスポットの外径に相当する幅である。
【００２４】
標準基準線ａ１には「０」の数字を附してあり、標準基準線ａ１を挟んで一方側に配置された４本の非標準基準線ａ２には、標準基準線ａ１に近いものから順に「＋１．０」，「＋２．０」，「＋３．０」「＋４．０」の数字を附してあり、標準基準線ａ１を挟んで他方側に配置された３本の非標準基準線ａ２には、標準基準線ａ１に近いものから順に
「−１．０」，「−２．０」，「−３．０」の数字を附してある。
【００２５】
検出線パターン１６は、１画素分の幅ｈで、その１画素分の幅ｈの整数倍（本実施形態では３１倍）の等ピッチＰｂで互いに略平行に印刷される一本の標準検出線ｂ１と複数本（本実施形態では７本）の非標準検出線ｂ２とからなる複数本（本実施形態では８本）の検出線ｂを有する。
【００２６】
標準検出線ｂ１には「０」の数字を附してあり、標準検出線ｂ１を挟んで一方側に配置された４本の非標準検出線ｂ２には、標準検出線ｂ１に近いものから順に「＋１．０」，「＋２．０」，「＋３．０」「＋４．０」の数字を附してあり、標準検出線ｂ１を挟んで他方側に配置された３本の非標準検出線ｂ２には、標準検出線ｂ１に近いものから順に
「−１．０」，「−２．０」，「−３．０」の数字を附してある。
【００２７】
標準検出線ｂ１に対してｎ番目に隣り合う非標準検出線ｂ２の夫々は、標準基準線ａ１と標準検出線ｂ１とが略一直線に並べて印刷されたとき、つまり、色ずれが生じていないときに、標準基準線ａ１に対してｎ番目に隣り合う非標準基準線ａ２に対して、１画素分の幅ｈのｎ倍の距離だけ一定方向にずらした位置に印刷される。
【００２８】
従って、同じ数字を附してある非標準基準線ａ２と非標準検出線ｂ２とが略一直線に並べて印刷されたときは、検出分解色の画像が基準分解色の画像に対して、１画素分の幅ｈと附してある数字との積に相当する距離だけずれていることを確認できる。
尚、１画素分の幅ｈと附してある数字との積の値が正のときは、分解色別色ずれ量確認チャート１７ａにおいては矢印Ｄ１の方向に、分解色別色ずれ量確認チャート１７ｂにおいては矢印Ｅ１の方向に夫々ずれており、積の値が負のときは、分解色別色ずれ量確認チャート１７ａにおいては矢印Ｄ２の方向に、分解色別色ずれ量確認チャート１７ｂにおいては矢印Ｅ２の方向に夫々ずれていることを確認できる。
【００２９】
前記基準線パターン１５には、隣り合う基準線ａどうしの間の夫々に、基準分解色で、かつ、１画素分の幅ｈで、１画素分の幅ｈの整数倍（本実施形態では１５倍）の等ピッチＰｃで互いに略平行に印刷されるｍ本（本実施形態では１本）の補助基準線ｃを設けてある。
【００３０】
前記検出線パターン１６には、隣り合う検出線ｂどうしの間の夫々に、検出分解色で、かつ、１画素分の幅ｈで、間隔を隔てて互いに略平行に印刷されるｍ本（本実施形態では１本）の補助検出線ｄを、１画素分の幅ｈの１５．５倍の等ピッチＰｄで設けてある。
【００３１】
従って、標準検出線ｂ１に対して非標準検出線ｂ２と補助検出線ｄとを含めて数えてｋ番目に隣り合う補助検出線ｄの夫々は、標準基準線ａ１と標準検出線ｂ１とが略一直線に並べて印刷されたとき、つまり、色ずれが生じていないときに、標準基準線ａ１に対して非標準基準線ａ２と補助基準線ｃとを含めて数えてｋ番目に隣り合う補助基準線ｃに対して、１画素分の幅ｈのｋ／（ｍ＋１）（本実施形態ではｋ／２）倍の距離だけ一定方向にずらした位置に印刷されるように配置してある。
【００３２】
標準基準線ａ１を挟んで一方側に配置された４本の補助基準線ｃには、標準基準線ａ１に近いものから順に「＋０．５」，「＋１．５」，「＋２．５」「＋３．５」の数字を附してあり、標準基準線ａ１を挟んで他方側に配置された４本の補助基準線ｃには、標準基準線ａ１に近いものから順に「−０．５」，「−１．５」，「−２．５」，「−３．５」の数字を附してある。
【００３３】
標準検出線ｂ１を挟んで一方側に配置された４本の補助検出線ｄには、標準検出線ｂ１に近いものから順に「＋０．５」，「＋１．５」，「＋２．５」「＋３．５」の数字を附してあり、標準検出線ｂ１を挟んで他方側に配置された４本の補助検出線ｄには、標準検出線ｂ１に近いものから順に「−０．５」，「−１．５」，「−２．５」，「−３．５」の数字を附してある。
【００３４】
従って、同じ数字を附してある補助基準線ｃと補助検出線ｄとが略一直線に並べて印刷されたときは、検出分解色の画像が基準分解色の画像に対して、１画素分の幅ｈと附された数字との積に相当する距離だけ、積の値が正のときは、矢印Ｄ１の方向にずれており、積の値が負のときは、矢印Ｄ２の方向にずれていることを確認できる。
【００３５】
図４は、副走査方向での色ずれを確認するために記録紙１に印刷した、例えば検出分解色がイエローの分解色別色ずれ量確認チャート１７ａを例示している。
図に示すように、「＋１．５」を附した補助基準線ｃと「＋１．５」を附した補助検出線ｄとが略一直線に並べて印刷されている。
従って、検出分解色の画像が基準分解色の画像に対して、１画素分の幅ｈの１．５倍の距離だけ矢印Ｄ１の方向にずれていることを確認できる。
【００３６】
色ずれ量確認チャート１７ａにおける副走査方向に沿う色ずれ量を確認するための補助検出線ｄは、感光体ドラム９の回転方向で隣り合う１画素分の幅ｈの走査ピッチ毎に、通常印刷用の静電潜像形成時よりも光量が少ないレーザー光、つまり、パルス幅変調を適用して機械仕様に対して１／２画素の解像度のレーザー光で感光体ドラム９を走査して、補助検出線ｄを印刷するための静電潜像を、感光体ドラム９の回転方向で隣り合う走査ピッチ毎に形成された二つの静電潜像が合成された合成静電潜像として形成し、その合成静電潜像のトナー像を記録紙１に印刷する。
【００３７】
例えば、「０．５」の数字を附した補助検出線ｄを、標準検出線ｂ１から、１画素分の幅ｈの１５．５倍の距離だけずれた位置に印刷する場合、感光体ドラム９に対して標準検出線ｂ１に対応するレーザー光を走査する位置から、副走査方向に１５画素分ずれた位置と、１６画素分ずれた位置との夫々に、通常よりも短いパルス幅、例えば通常パルス幅の２５％のパルス幅でレーザー光を走査する。
そして、補助検出線印刷用の静電潜像を、標準検出線ｂ１に対応するレーザー光を走査する位置から副走査方向に１５．５画素分ずれた位置に、これら二本のレーザー光による静電潜像が合成された合成静電潜像として形成する。
【００３８】
〔その他の実施形態〕
１．本発明による色ずれ量確認チャートは、複写機における色ずれ量を確認する場合、予め紙などのシートに印刷してあっても良い。
つまり、シートに印刷してある色ずれ量確認チャートを複写して記録紙に印刷するこよにより、その複写機における色ずれ量を確認することができる。
２．本発明による色ずれ量確認チャートは、像担持体としての感光体ベルトを備えた画像形成装置における色ずれ量を確認するために印刷されるものであっても良い。
３．本発明による色ずれ量確認チャートは、画像形成装置としての電子写真式のプリンタやファックスにおける色ずれ量を確認するために印刷されるものであっても良い。
【図面の簡単な説明】
【００３９】
【図１】画像形成装置の内部を示す概略側面図
【図２】色ずれ量確認チャートの平面図
【図３】色ずれ量確認チャートの要部拡大平面図
【図４】記録媒体に印刷された色ずれ量確認チャートの要部拡大平面図
【符号の説明】
【００４０】
１  記録媒体
２  画像形成装置
９  像担持体
１５  基準線パターン
１６  検出線パターン
ａ  基準線
ａ１  標準基準線
ａ２  非標準基準線
ｂ  検出線
ｂ１  標準検出線
ｂ２  非標準検出線
ｃ  補助基準線
ｄ  補助検出線
ｈ  １画素分の幅（走査ピッチ）
【図１】
2010039197.tif 000003
【図２】
2010039197.tif 000004
【図３】
2010039197.tif 000005
【図４】
2010039197.tif 000006